(57)【要約】【課題】照準点と着弾点とのずれがゼロイン調整後に生じることを防止する８９式５．５６ｍｍ小銃用照準装置などを提供する。【解決手段】ドットサイト１０と、ドットサイト１０を８９式５．５６ｍｍ小銃２に取り付けるためのマウント部２０と、を備えた８９式５．５６ｍｍ小銃用照準装置１であって、ドットサイト１０は、円柱状の被保持部１２を具備し、マウント部２０は、８９式５．５６ｍｍ小銃２に形成された基本ベース３に固定される本体部２１と、ドットサイト１０の被保持部１２を着脱可能に保持する、本体部２１とともに一体形成された円筒状の保持部と、を具備し、ドットサイト１０とマウント部２０とは、平面状の当接部１７ａ、２６ａをそれぞれ具備し、ドットサイト１０の当接部１７ａとマウント部２０の当接部２６ａとは、ドットサイト１０の被保持部１２がマウント部２０の保持部で保持された場合に当接する。【選択図】図１
2008202901.tif 000002
【特許請求の範囲】
【請求項１】
照準器と、前記照準器を小火器に取り付けるためのマウント部と、を備えた小火器用照準装置であって、
前記照準器は、円柱状の被保持部を具備し、
前記マウント部は、
前記小火器に設けられたベースに固定される本体部と、
前記本体部に設けられ、前記照準器の被保持部を着脱可能に保持する円筒状の保持部と、
を具備し、
前記照準器と前記マウント部とは、平面状の当接部をそれぞれ具備し、
前記照準器の当接部と前記マウント部の当接部とは、前記照準器の被保持部が前記マウント部の保持部で保持された場合に当接する、
ことを特徴とする小火器用照準装置。
【請求項２】
前記小火器は、８９式５．５６ｍｍ小銃であることを特徴とする請求項１に記載の小火器用照準装置。
【請求項３】
前記マウント部は、さらに、薬莢収納袋を取り付け可能な薬莢収納袋取付部を着脱可能に具備していることを特徴とする請求項１または請求項２に記載の小火器用照準装置。
【請求項４】
前記マウント部は、さらに、バトラを取り付け可能なバトラ取付部を着脱可能に具備していることを特徴とする請求項１〜請求項３のいずれか１項に記載の小火器用照準装置。
【請求項５】
照準器を小火器に取り付けるためのマウント部であって、薬莢収納袋を取り付け可能な薬莢収納袋取付部を着脱可能に具備していることを特徴とするマウント部。
【請求項６】
照準器を小火器に取り付けるためのマウント部であって、バトラを取り付け可能なバトラ取付部を着脱可能に具備していることを特徴とするマウント部。
【請求項７】
前記小火器は、８９式５．５６ｍｍ小銃であることを特徴とする請求項５または請求項６に記載のマウント部。
【発明の詳細な説明】
【技術分野】
【０００１】
本発明は、小火器に取り付けられる小火器用照準装置、および照準器を小火器に取り付けるためのマウント部に関する。
【背景技術】
【０００２】
従来、照準具を銃に装着する取付け装置が提案された（特許文献１参照）。このような取付け装置を用いて銃に装着された照準具においては、実際の使用に先立ってゼロイン調整が行われる。このゼロイン調整では、十字線のゼロ点やドットなどの指標を照準点に合わせる照準を行えば照準点と着弾点とが一致することになるよう、指標を上下左右に移動させ微調整する。
【特許文献１】実開昭５４−１０６７００号公報
【発明の開示】
【発明が解決しようとする課題】
【０００３】
しかしながら、従来は、小火器用照準装置と小火器との位置関係が、ゼロイン調整後に生じる衝撃や振動などによって変化することが多かった。このため、従来の小火器用照準装置では、実際の使用に先立っていくら厳密にゼロイン調整を行ったとしても、ゼロイン調整後に生じる衝撃や振動などによってかかる調整が無に帰し、照準点と着弾点とにずれが生じてしまうという問題があった。
そこで、本発明は、照準点と着弾点とのずれがゼロイン調整後に生じることを防止する小火器用照準装置およびマウント部を提供することを目的とする。
【課題を解決するための手段】
【０００４】
本発明によれば、上記課題は、次の手段により解決される。
【０００５】
本発明は、照準器と、前記照準器を小火器に取り付けるためのマウント部と、を備えた小火器用照準装置であって、前記照準器は、円柱状の被保持部を具備し、前記マウント部は、前記小火器に設けられたベースに固定される本体部と、前記本体部に設けられ、前記照準器の被保持部を着脱可能に保持する円筒状の保持部と、を具備し、前記照準器と前記マウント部とは、平面状の当接部をそれぞれ具備し、前記照準器の当接部と前記マウント部の当接部とは、前記照準器の被保持部が前記マウント部の保持部で保持された場合に当接する、ことを特徴とする小火器用照準装置である。
【０００６】
照準器が具備する被保持部の形状を円柱状とし、マウント部が具備する保持部の形状を円筒状とし、且つ、この円柱状の被保持部を円筒状の保持部で着脱可能に保持した場合には、ゼロイン調整後に生じる衝撃や振動などによって、円柱状の被保持部が円筒状の保持部の内側を滑り、照準器が回転してしまう。そして、このような回転が生じると、指標の位置がゼロイン調整時の位置とは異なってしまうため、指標を照準点に合わせる照準を行っても、照準点と着弾点とが一致しなくなってしまう。
しかしながら、本発明によれば、照準器とマウント部とが平面状の当接部をそれぞれ具備し、これら平面状の当接部が、照準器の被保持部がマウント部の保持部で保持された場合に当接するものとされる。したがって、本発明によれば、ゼロイン調整後に衝撃や振動が生じたとしても上記のような照準器の回転が生じることはなく、指標の位置は、ゼロイン調整後においても、ゼロイン調整時の位置と同じ位置に保たれる。よって、本発明によれば、照準点と着弾点とのずれがゼロイン調整後に生じることを防止することができる。
【０００７】
また、マウント部によって照準器を着脱可能に保持するようにして照準器とマウント部とを別体に構成すれば、形状や寸法などの異なるベースごとにマウント部を用意してマウント部を交換することにより、異なるベース間においても同一の照準器を使用できる。このため、照準器とマウント部とを一体に構成した照準装置よりも、同一の照準器を異なるベース間で使用できるため、照準装置の使用者は、コストの低減を図ることができる。ところが、照準器とマウント部とを別体に構成すると、ゼロイン調整後に生じる衝撃や振動によって上記した照準器の回転が生じる。
しかしながら、本発明によれば、上記のように、照準器とマウント部とに平面状の当接部がそれぞれ設けられ、照準器とマウント部とが、これら平面状の当接部において当接するものとされ、照準器の回転が防止される。
したがって、本発明によれば、照準装置の使用者のコスト低減を図るために照準器とマウント部とが別体にされた構成であるにもかかわらず、照準器の回転を防止することができる。
【０００８】
また、本発明によれば、当接部の形状が平面状とされるため、照準器の当接部とマウント部の当接部とは、これらを容易且つ迅速に密接することができる一方で、容易且つ迅速に離することができる。したがって、本発明によれば、照準器の当接部とマウント部の当接部とを密接させたとしても、この密接がマウント部を交換する場合の障害になるということはなく、当接部で密接している照準器とマウント部とを離して、この照準器と他のマウント部とを当接部で密接させる作業を容易且つ迅速に行うことができる。よって、本発明によれば、マウント部の交換に手間がかからない構成であるにもかからず照準器の回転を防止することができる。
【０００９】
また、本発明によれば、当接部は、その形状が平面状とされるため、衝撃や振動などが生じても破損し難い。このため、本発明によれば、凹上の陥部に凸上の突起を嵌合させて照準器の回転を防止する構成の小火器用照準装置よりも、衝撃や振動などに強い小火器用照準装置を構成することができる。よって、本発明によれば、ゼロイン調整後に当接部が破損して照準器が回転してしまい、照準点と着弾点とのずれが生じてしまうことを防止することができる。
【００１０】
上記した本発明に係る照準装置の構成において、前記小火器は、８９式５．５６ｍｍ小銃であることが好ましい。８９式５．５６ｍｍ小銃は、これに形成された基本ベースにピカテニーベースなどを取り付けることがあり、マウント部の交換が必要とされる小火器である。しかしながら、上述したように、本発明は、照準器の回転を防止するためにマウント部の交換に要する手間を犠牲にするものではなく、照準器の回転を防止しつつも、マウント部の交換に手間がかからない構成を有している。このため、本発明によれば、基本ベースに取り付けられていた照準器をピカテニーベースに取り付け直すという８９式５．５６ｍｍ小銃において必要とされるマウント部の交換についても、これを容易且つ迅速に行うことができる。したがって、本発明に係る小火器用照準装置は、８９式５．５６ｍｍ小銃に最適な小火器用照準装置である。
【００１１】
上記した本発明に係る照準装置の構成において、前記マウント部は、さらに、薬莢収納袋を取り付け可能な薬莢収納袋取付部を着脱可能に具備していることが好ましい。また、上記した本発明の構成において、前記マウント部は、さらに、バトラを取り付け可能なバトラ取付部を着脱可能に具備していることが好ましい。
【００１２】
従来、薬莢収納袋取付部やバトラ取付部は、小火器に形成された基本ベースに取り付けられていた。このため、従来は、薬莢収納袋やバトラを使用する場合、小火器の基本ベースが薬莢収納袋取付部やバトラ取付部によって占有されてしまい、照準装置を小火器に取り付けることができず、照準は、小火器に形成された照星と照門とを用いて行わざるを得なかった。
ところが、薬莢収納袋やバトラは、訓練時にのみ使用され、実戦時には不要となるものであるところ、実戦時には、照星と照門とを用いた照準もさることながら、照準装置を用いた照準が主として行われる。したがって、従来は、照準装置を用いた照準やゼロイン調整に訓練時において習熟することができず、照準点と着弾点とのずれを実戦の開始前に十分に解消することができなかった。このため、従来は、照準点と着弾点とのずれが上記した照準器の回転により実戦の開始後においてより一層大きくなる可能性があり、また、実戦の開始後にゼロイン調整を行っても、ゼロイン調整に習熟していないのであるから、照準点と着弾点とのずれを解消することが困難になる可能性があった。
しかしながら、上記の構成によれば、照準器を保持するマウント部に薬莢収納袋取付部やバトラ取付部が具備されることとなるため、薬莢収納袋およびバトラの双方または一方と照準装置とを同時に小火器に取り付けることができ、薬莢収納袋やバトラが使用される訓練時においても、照準装置を使用できるようになる。したがって、上記の構成によれば、訓練時において照準装置を用いた照準やゼロイン調整に習熟することができる。このため、上記の構成によれば、習熟したゼロイン調整によって、照準点と着弾点とのずれを実戦の開始前に十分に解消することができる。
よって、本発明によれば、照準点と着弾点とのずれが上記した照準器の回転により実戦の開始後においてより一層大きくなるということが防止され、また、実戦の開始後にゼロイン調整を行った場合であっても、ゼロイン調整に習熟しているのであるから、照準点と着弾点とのずれを容易に解消することが可能となる。
【００１３】
また、本発明は、照準器を小火器に取り付けるためのマウント部であって、薬莢収納袋を取り付け可能な薬莢収納袋取付部を着脱可能に具備していることを特徴とするマウント部である。また、本発明は、照準器を小火器に取り付けるためのマウント部であって、バトラを取り付け可能なバトラ取付部を着脱可能に具備していることを特徴とするマウント部である。
【００１４】
従来、薬莢収納袋取付部やバトラ取付部は、小火器に形成された基本ベースに取り付けられていた。このため、従来は、薬莢収納袋やバトラを使用する場合、小火器の基本ベースが薬莢収納袋取付部やバトラ取付部によって占有されてしまい、照準装置を小火器に取り付けることができず、照準は、小火器に形成された照星と照門とを用いて行わざるを得なかった。
ところが、薬莢収納袋やバトラは、訓練時にのみ使用され、実戦時には不要となるものであるところ、実戦時には、照星と照門とを用いた照準もさることながら、照準装置を用いた照準が主として行われる。したがって、従来は、照準装置を用いた照準やゼロイン調整に訓練時において習熟することができず、照準点と着弾点とのずれを実戦の開始前に十分に解消することができなかった。このため、従来は、照準点と着弾点とのずれが実戦の開始後においてより一層大きくなる可能性があり、また、実戦の開始後にゼロイン調整を行っても、ゼロイン調整に習熟していないのであるから、照準点と着弾点とのずれを解消することが困難になる可能性があった。
しかしながら、上記の構成によれば、照準器を保持するマウント部に薬莢収納袋取付部やバトラ取付部が具備されることとなるため、薬莢収納袋およびバトラの双方または一方と照準装置とを同時に小火器に取り付けることができ、薬莢収納袋やバトラが使用される訓練時においても、照準装置を使用できるようになる。したがって、上記の構成によれば、訓練時において照準装置を用いた照準やゼロイン調整に習熟することができる。このため、上記の構成によれば、習熟したゼロイン調整によって、照準点と着弾点とのずれを実戦の開始前に十分に解消することができる。
よって、本発明によれば、照準点と着弾点とのずれが実戦の開始後においてより一層大きくなるということが防止され、また、実戦の開始後にゼロイン調整を行った場合であっても、ゼロイン調整に習熟しているのであるから、照準点と着弾点とのずれを容易に解消することが可能となる。
【００１５】
上記した本発明に係るマウント部の構成において、前記小火器は、８９式５．５６ｍｍ小銃であることが好ましい。８９式５．５６ｍｍ小銃は、自衛隊で１９８９年から配備・使用されている小銃である。このため、この小銃は、薬莢収納袋やバトラを用いた訓練での使用のみならず、薬莢収納袋やバトラを用いない実戦での使用も想定されている小銃である。本発明に係るマウント部は、訓練時と実戦時との双方において、同様の方法で照準器を小火器に取り付け可能とするものであり、８９式５．５６ｍｍ小銃に最適なマウント部である。
【発明の効果】
【００１６】
本発明によれば、照準点と着弾点とのずれがゼロイン調整後に生じることを防止する小火器用照準装置およびマウント部を提供することができる。
【発明を実施するための最良の形態】
【００１７】
以下に、添付した図面を参照しつつ、本発明を実施するための最良の形態を詳細に説明する。
【００１８】
まず、図１を参照しつつ、本発明の実施の形態に係る８９式５．５６ｍｍ小銃用照準装置の概略構成について説明する。図１は、本発明の実施の形態に係る８９式５．５６ｍｍ小銃用照準装置の概略構成を示す図である。
図１に示すように、本発明の実施の形態に係る８９式５．５６ｍｍ小銃用照準装置１は、照準器の一例であるドットサイト１０とマウント部２０とを備えており、マウント部２０は、小火器の一例である８９式５．５６ｍｍ小銃２に形成された基本ベース３に固定される。この固定は、８９式５．５６ｍｍ小銃用照準装置１のマウント部２０を矢印Ａの方向に沿って基本ベース３に係合させた後、固定ビスを矢印Ｂの方向に回転させることにより基本ベース３をマウント部２０で挟持することにより行われる。
【００１９】
次に、図２を参照しつつ、本発明の実施の形態に係る８９式５．５６ｍｍ小銃用照準装置を構成する各手段について説明する。図２は本発明の実施の形態に係る８９式５．５６ｍｍ小銃用照準装置の概略分解斜視図である。
上述したように、本発明の実施の形態に係る８９式５．５６ｍｍ小銃用照準装置１は、ドットサイト１０と、マウント部２０と、を備えている。以下では、まずドットサイト１０を構成する各手段について説明し、次いで、マウント部２０を構成する各手段について説明する。
【００２０】
［ドットサイト１０］
ドットサイト１０は、一体形成されたドットサイト本体１１と、このドットサイト本体１１に取り付けられた接眼側キャップ１３ａ及び対物側キャップ１３ｂと、指標として用いられるドットの輝度を調整する輝度調整ダイヤル１４と、ドットを上下方向に移動させる第１ダイヤル１５と、ドットを左右方向に移動させる第２ダイヤル１６と、を具備している。一体形成されたドットサイト本体１１の長手方向における略中央部分には、円柱状の被保持部１２が形成されている。
【００２１】
［マウント部２０］
まず、マウント部２０は、８９式５．５６ｍｍ小銃２に形成された基本ベース３に固定される本体部２１を具備している。この本体部２１は、第１本体部２１ａと、第２本体部２１ｂと、固定ビス２２ａ、２２ｂとを有している。固定ビス２２ａ、２２ｂを締め付け方向に回転させると、第２本体部２１ｂが第１本体部２１ａ側に移動して、第１本体部２１ａと第２本体部２１ｂとにより８９式５．５６ｍｍ小銃２に形成された基本ベース３が挟持され、マウント部２０が基本ベース３に固定される。
【００２２】
次に、マウント部２０は、ドットサイト１０が具備する円柱状の被保持部１２を着脱可能に保持する、本体部２１とともに一体形成された円筒状の保持部を備えている。この保持部は、円筒状の支持部２３と、８本の保持ビス２４ａ〜２４ｆと、８つの保持ワッシャ２５ａ〜２５ｆと、を有している。円筒状の支持部２３は、半円筒状の台座部２３ａと半円筒状の蓋部２３ｂとを有しており、ドットサイト本体１１に形成された円柱状の被保持部１２は、台座部２３ａと蓋部２３ｂとによって挟持され、支持される。８本の保持ビス２４ａ〜２４ｆに対応して、８つのビス孔が台座部２３ａに形成されており、また、８つの貫通孔が蓋部２３ｂに形成されている。８つの保持ワッシャ２５ａ〜２５ｆを取り付けた８本の保持ビス２４ａ〜２４ｆを、蓋部２３ｂに形成された８つの貫通孔にそれぞれ挿通して、台座部２３ａに形成された８つのビス孔にねじ込むことにより、蓋部２３ｂが台座部２３ａに固定されて、ドットサイト１０が支持部２３に固定される。８本の保持ビス２４ａ〜２４ｆを緩めると、蓋部２３ｂの台座部２３ａに対する固定が解除されて、ドットサイト１０を支持部２３から取り外すことが可能になる。
【００２３】
なお、第２本体部２１ｂの側面には、バトラ取付部用ビス孔３１ａ、３１ｂが形成されているが、これらについては後述する。
【００２４】
次に、図３を参照しつつ、ドットサイトとマウント部とがそれぞれ具備する当接部について説明する。図３は、当接部を説明するための図であり、図３（ａ）はドットサイトとマウント部とを当接させる前の図であり、図３（ｂ）はドットサイトとマウント部とを当接させた後の図である。なお、図３（ａ）では、説明の便宜のため、ドットサイト１０を、その底面が見えるように、図面奥側に向けて回転させて表示している。
【００２５】
図３（ａ）に示すように、ドットサイト１０は、その底部において、平面部１７を具備している。また、マウント部２０も、その上部において、平面部２６を具備している。図３（ｂ）に示すように、ドットサイト１０とマウント部２０とは、ドットサイト１０の被保持部１２がマウント部２０の保持部で保持された場合に、平面部１７上の破線で囲んだ部分１７ａと平面部２６上の破線で囲んだ部分２６ａとにおいて当接する。破線で囲んだ部分１７ａ、２６ａは、当接部の一例である。
【００２６】
以上説明したように、本発明の実施の形態に係る８９式５．５６ｍｍ小銃用照準装置１によれば、ドットサイト１０とマウント部２０とが平面状の当接部１７ａ、２６ａをそれぞれ具備し、これら平面状の当接部１７ａ、２６ａが、ドットサイト１０の被保持部１２がマウント部２０の保持部で保持された場合に当接するものとされる。したがって、本発明の実施の形態に係る８９式５．５６ｍｍ小銃用照準装置１によれば、ゼロイン調整後に衝撃や振動が生じたとしてもドットサイト１０の回転が生じることはなく、指標であるドットの位置は、ゼロイン調整後においても、ゼロイン調整時の位置と同じ位置に保たれる。よって、本発明の実施の形態に係る８９式５．５６ｍｍ小銃用照準装置１によれば、照準点と着弾点とのずれがゼロイン調整後に生じることを防止することができる。
【００２７】
また、マウント部２０によってドットサイト１０を着脱可能に保持するようにしてドットサイト１０とマウント部２０とを別体に構成すれば、形状や寸法などの異なるベースごとにマウント部２０を用意してマウント部２０を交換することにより、異なるベース間においても同一のドットサイト１０を使用できる。このため、ドットサイト１０とマウント部２０とを一体に構成した８９式５．５６ｍｍ小銃用照準装置よりも、同一のドットサイト１０を異なるベース間で使用できるため、本実施の形態に係る８９式５．５６ｍｍ小銃用照準装置１の使用者は、コストの低減を図ることができる。ところが、ドットサイト１０とマウント部２０とを別体に構成すると、ゼロイン調整後に生じる衝撃や振動によってドットサイト１０の回転が生じる。
しかしながら、本発明の実施の形態に係る８９式５．５６ｍｍ小銃用照準装置１によれば、上記のように、ドットサイト１０とマウント部２０とに平面状の当接部１７ａ、２６ａがそれぞれ設けられ、ドットサイト１０とマウント部２０とが、これら平面状の当接部１７ａ、２６ａにおいて当接するものとされ、ドットサイト１０の回転が防止される。
したがって、本発明の実施の形態に係る８９式５．５６ｍｍ小銃用照準装置１によれば、照準装置の使用者のコスト低減を図るためにドットサイト１０とマウント部２０とが別体にされた構成であるにもかかわらず、ドットサイト１０の回転を防止することができる。
【００２８】
また、本発明の実施の形態に係る８９式５．５６ｍｍ小銃用照準装置１によれば、当接部１７ａ、２６ａの形状が平面状とされるため、ドットサイト１０の当接部１７ａとマウント部２０の当接部２６ａとは、これらを容易且つ迅速に密接することができる一方で、容易且つ迅速に離することができる。したがって、本発明の実施の形態に係る８９式５．５６ｍｍ小銃用照準装置１によれば、ドットサイト１０の当接部１７ａとマウント部２０の当接部２６ａとを密接させたとしても、この密接がマウント部２０を交換する場合の障害になるということはなく、当接部１７ａで密接しているドットサイト１０とマウント部２０とを離して、このドットサイト１０と他のマウント部２０とを当接部１７ａ、２６ａで密接させる作業を容易且つ迅速に行うことができる。よって、本発明の実施の形態に係る８９式５．５６ｍｍ小銃用照準装置１によれば、マウント部２０の交換に手間がかからない構成であるにもかからずドットサイト１０の回転を防止することができる。
【００２９】
また、本発明の実施の形態に係る８９式５．５６ｍｍ小銃用照準装置１によれば、当接部１７ａ、２６ａは、その形状が平面状とされるため、衝撃や振動などが生じても破損し難い。このため、本発明の実施の形態に係る８９式５．５６ｍｍ小銃用照準装置１によれば、凹上の陥部に凸上の突起を嵌合させてドットサイト１０の回転を防止する構成の８９式５．５６ｍｍ小銃用照準装置よりも、衝撃や振動などに強い８９式５．５６ｍｍ小銃用照準装置１を構成することができる。よって、本発明の実施の形態に係る８９式５．５６ｍｍ小銃用照準装置１によれば、ゼロイン調整後に当接部１７ａ、２６ａが破損してドットサイト１０が回転してしまい、照準点と着弾点とのずれが生じてしまうことを防止することができる。
【００３０】
上記した本発明の実施の形態に係る８９式５．５６ｍｍ小銃用照準装置１は、８９式５．５６ｍｍ小銃２以外の小火器にも用いることができる。しかしながら、本発明に係る小火器用照準装置は、上記のようにして、８９式５．５６ｍｍ小銃２に用いることが特に好ましい。８９式５．５６ｍｍ小銃２は、これに形成された基本ベース３にピカテニーベースなどを取り付けることが多く、マウント部２０の交換が必要とされる小火器である。しかしながら、上述したように、本発明の実施の形態に係る８９式５．５６ｍｍ小銃用照準装置１は、ドットサイト１０の回転を防止するためにマウント部２０の交換に要する手間を犠牲にするものではなく、ドットサイト１０の回転を防止しつつも、マウント部２０の交換に手間がかからない構成を有している。このため、上記したような本発明の実施の形態に係る８９式５．５６ｍｍ小銃用照準装置１によれば、基本ベース３に取り付けられていたドットサイト１０をピカテニーベースに取り付け直すという８９式５．５６ｍｍ小銃において必要とされるマウント部２０の交換についても、これを容易且つ迅速に行うことができる。したがって、本発明に係る小火器用照準装置は、８９式５．５６ｍｍ小銃に最適な小火器用照準装置である。
【００３１】
次に、図４を参照しつつ、本発明の実施の形態に係る８９式５．５６ｍｍ小銃用照準装置が備える他の構成について説明する。図４は、本発明の実施の形態に係る８９式５．５６ｍｍ小銃用照準装置が備える他の構成を示す図である。
【００３２】
図４に示すように、本発明の実施の形態に係る８９式５．５６ｍｍ小銃用照準装置１は、上記した構成に加えて、さらに、薬莢収納袋４を取り付け可能な薬莢収納袋取付部３２と、バトラ５を取り付け可能なバトラ取付部２７と、を備えている。なお、図４においては、説明の便宜のため、薬莢収納袋４に取り付けられる薬莢収納袋保持部のみを示し、薬莢収納袋そのものの図を省略してある。
【００３３】
次に、図５を参照しつつ、本発明の実施の形態に係る８９式５．５６ｍｍ小銃用照準装置が備える他の構成をより詳細に説明する。図５は、本発明の実施の形態に係る８９式５．５６ｍｍ小銃用照準装置が備える他の構成をより詳細に示す図である。
図５に示すように、本発明の実施の形態に係る８９式５．５６ｍｍ小銃用照準装置１においては、マウント部２０が、薬莢収納袋取付部３２と、バトラ取付部２７と、を着脱可能に具備している。
【００３４】
薬莢収納袋取付部３２には、４つの薬莢収納袋取付部用ビス孔３５ａ〜３５ｄが形成されている。これに対応して、マウント部２０の第１本体部２１ａにも、４つの薬莢収納袋取付部用ビス孔３６ａ〜３６ｄ（３６ｃと３６ｄについては図示せず）が形成されている。４つの薬莢収納袋取付部用ビス孔３６ａ〜３６ｄ（３６ｃと３６ｄについては図示せず）は、第１本体部２１ａの平面部２６よりも一段下がった箇所に形成されている。薬莢収納袋取付部３２は、これら４つの薬莢収納袋取付部用ビス孔３５ａ〜３５ｄと、４つの薬莢収納袋取付部用ビス孔３６ａ〜３６ｄ（３６ｃと３６ｄについては図示せず）とに、４つの薬莢収納袋取付部用ワッシャ３４ａ〜３４ｄを取り付けた４つの薬莢収納袋取付部用ビス３３ａ〜３３ｄをねじ込むことにより、第１本体部２１ａに固定される。また、薬莢収納袋取付部３２には、２つのボス３７ａ、３７ｂが形成されている。
【００３５】
また、バトラ取付部２７は、２つのバトラ取付部用ビス２９ａ、２９ｂを有している。バトラ取付部２７は、これら２つのバトラ取付部用ビス２９ａ、２９ｂを、マウント部２０の第２本体部２１ｂの側面に形成されたバトラ取付部用ビス孔３１ａ、３１ｂにねじ込むことにより、マウント部２０の第２本体部２１ｂに固定される。
【００３６】
次に、図６を参照しつつ、薬莢収納袋を薬莢収納袋取付部に取り付ける方法について説明する。図６は、薬莢収納袋を薬莢収納袋取付部に取り付ける方法を示す図である。なお、図６においては、図４においては省略していた薬莢収納袋４を薬莢収納袋保持部とともに示している。
図６に示すように、薬莢収納袋４には、薬莢収納袋保持部が取り付けられている。この薬莢収納袋保持部には、２つの切欠４ａ、４ｄと、２つのボス孔４ｂ、４ｃとが形成されている。矢印Ｃで示した方向に沿って２つの切欠４ａ、４ｄを薬莢収納袋取付部３２と薬莢収納袋取付用ビス３８ａ、３８ｂとの間に挟み、薬莢収納袋取付部３２の２つのボス３７ａ、３７ｂを２つのボス孔４ｂ、４ｃに嵌合させ、薬莢収納袋取付用ビス３８ａ、３８ｂを締め付け方向Ｄに回転させると、薬莢収納袋保持部が薬莢収納袋取付部３２と薬莢収納袋取付用ビス３８ａ、３８ｂとよって挟持され、薬莢収納袋４が薬莢収納袋取付部３２に固定される。この構成においては、薬莢収納袋取付部３２に形成された２つのボス３７ａと３７ｂとが薬莢収納袋保持部に形成されたボス孔４ｂ、４ｃに嵌合されることにより、薬莢収納袋４が上下左右に移動することが防止されるため、薬莢収納袋４が薬莢収納袋取付部３２に安定的に固定される。
【００３７】
次に、図７を参照しつつ、バトラをバトラ取付部に取り付ける方法について説明する。図７は、バトラをバトラ取付部に取り付ける方法を示す図である。なお、図７においては、説明の便宜のため、バトラ取付部２７とバトラ５のみを示している。
上記した図４に示したように、バトラ取付部２７には、２つのバトラ取付用ビス孔３０ａ、３０ｂとバトラ支持部２８とが形成されている。バトラ支持部２８にバトラ５の底面を当接させ、バトラ５が有する２つのバトラ取付用ビス５ａ、５ｂを２つのバトラ取付用ビス孔３０ａ、３０ｂに締め付けると、バトラ５がバトラ取付部２７に固定される。この構成では、バトラ支持部２８によってバトラ５の底面が支持されるため、バトラ５がバトラ取付部２７に安定的に固定される。
【００３８】
従来、薬莢収納袋取付部やバトラ取付部は、８９式５．５６ｍｍ小銃２に形成された基本ベース３に取り付けられていた。このため、従来は、薬莢収納袋やバトラを使用する場合、８９式５．５６ｍｍ小銃２の基本ベース３が薬莢収納袋取付部やバトラ取付部によって占有されてしまい、８９式５．５６ｍｍ小銃用照準装置を８９式５．５６ｍｍ小銃２に取り付けることができず、照準は、８９式５．５６ｍｍ小銃に形成された照星と照門とを用いて行われざるを得なかった。
ところが、薬莢収納袋やバトラは、訓練時にのみ使用され、実戦時には不要となるものであるところ、実戦時には、照星と照門とを用いた照準もさることながら、８９式５．５６ｍｍ小銃用照準装置を用いた照準が主として行われる。したがって、従来は、８９式５．５６ｍｍ小銃用照準装置を用いた照準やゼロイン調整に訓練時において習熟することができず、照準点と着弾点とのずれを実戦の開始前に十分に解消することができなかった。このため、従来は、照準点と着弾点とのずれが上記したドットサイト１０の回転により実戦の開始後においてより一層大きくなる可能性があり、また、実戦の開始後にゼロイン調整を行っても、ゼロイン調整に習熟していないのであるから、照準点と着弾点とのずれを解消することが困難になる可能性があった。
しかしながら、上記の構成によれば、ドットサイト１０を保持するマウント部２０に薬莢収納袋取付部３２やバトラ取付部２７が具備されることとなるため、薬莢収納袋４およびバトラ５の双方または一方と８９式５．５６ｍｍ小銃用照準装置１とを同時に８９式５．５６ｍｍ小銃２に取り付けることができ、薬莢収納袋４やバトラ５が使用される訓練時においても、８９式５．５６ｍｍ小銃用照準装置１を使用できるようになる。したがって、上記の構成によれば、訓練時において８９式５．５６ｍｍ小銃用照準装置１を用いた照準やゼロイン調整に習熟することができる。このため、上記の構成によれば、習熟したゼロイン調整によって、照準点と着弾点とのずれを実戦の開始前に十分に解消することができる。
よって、上記の構成によれば、照準点と着弾点とのずれが上記したドットサイト１０の回転により実戦の開始後においてより一層大きくなるということが防止され、また、実戦の開始後にゼロイン調整を行った場合であっても、ゼロイン調整に習熟しているのであるから、照準点と着弾点とのずれを容易に解消することが可能となる。
【００３９】
このように、本発明の実施の形態に係るマウント部２０は、薬莢収納袋４を取り付け可能な薬莢収納袋取付部３２を着脱可能に具備しており、且つ、バトラ５を取り付け可能なバトラ取付部２７を着脱可能に具備しているが、このように構成すれば、薬莢収納袋４およびバトラ５の双方または一方と８９式５．５６ｍｍ小銃用照準装置１とを同時に８９式５．５６ｍｍ小銃２に取り付けることができ、薬莢収納袋４やバトラ５が使用される訓練時においても、８９式５．５６ｍｍ小銃用照準装置１を使用できるようになる。したがって、上記の構成に係るマウント部２０によれば、訓練時において８９式５．５６ｍｍ小銃用照準装置１を用いた照準やゼロイン調整に習熟することができ、習熟したゼロイン調整によって、照準点と着弾点とのずれを実戦の開始前に十分に解消することができる。よって、上記の構成に係るマウント部２０によれば、照準点と着弾点とのずれが実戦の開始後においてより一層大きくなるということが防止され、また、実戦の開始後にゼロイン調整を行った場合であっても、ゼロイン調整に習熟しているのであるから、照準点と着弾点とのずれを容易に解消することが可能となる。
【００４０】
また、８９式５．５６ｍｍ小銃は、自衛隊で１９８９年から配備・使用されている小銃である。このため、この小銃は、薬莢収納袋４やバトラ５を用いた訓練での使用のみならず、薬莢収納袋４やバトラ５を用いない実戦での使用も想定されている小銃である。上記の構成に係るマウント部２０は、照準装置を訓練時と実戦時との双方において、小火器上の同様の位置に照準器を取り付け可能とするものであり、８９式５．５６ｍｍ小銃に最適なマウント部である。
【００４１】
なお、上記した本発明の実施の形態に係る８９式５．５６ｍｍ小銃用照準装置１においては、ドットサイト１０の被保持部１２をマウント部２０の保持部で保持することにより、ドットサイト１０が上下左右に動くことを防止し、ドットサイト１０の当接部１７ａとマウント部２０の当接部２６ａとによってドットサイト１０の回転を防止した。すなわち、上記した本発明の実施の形態に係る８９式５．５６ｍｍ小銃用照準装置１においては、ドットサイト１０の上下左右の動きと回転とを、マウント部２０の保持部とドットサイト１０の当接部１７ａ及びマウント部２０の当接部２６ａという異なる手段によって防止した。しかしながら、本発明においては、照準器の上下左右の移動と回転とを同一の手段によって防止することもできる。ただし、上記した本発明の実施の形態に係る８９式５．５６ｍｍ小銃用照準装置１のように、ドットサイト本体１１を一例とする照準器本体が一体形成される場合には、上下左右の移動を防止する力と回転を防止する力とが、一体形成された照準器本体の全体に加わって、上下左右の移動を防止する力が回転防止の役割も果たし、他方、回転を防止する力が上下左右の移動防止の役割も果たし、２つの力が分散するということがない。上記した本発明の実施の形態に係る８９式５．５６ｍｍ小銃用照準装置１のように、照準器本体が一体形成される場合には、本発明の実施の形態のようにして、照準器の上下左右の移動と回転とを異なる手段によって防止することが特に好ましい。
【００４２】
また、上記した本発明の実施の形態に係る８９式５．５６ｍｍ小銃用照準装置１のように、ドットサイト本体１１を一例とする照準器本体が一体形成される場合には、本発明の実施の形態のようにして、ドットサイト本体１１の略中央部分から一方側にのみ当接部を設けることにより、小火器用照準装置の構成を簡素にして軽量化を図ることができるため、好ましい。なお、たとえば、接眼側の部材と対物側の部材という２つの部材を組み合わせて１つの照準器を構成し、対物側にのみ当接部を設けた場合には、接眼側の部材が回転し易くなるとともに、接眼側の部材の回転により対物側の部材に回転力が加わってしまう。
【００４３】
なお、上記した本発明の実施の形態では、ドットサイト１０を照準器の一例に挙げたが、本発明においては、ドットサイト１０以外の照準器も用いることができる。ただし、ドットサイト１０は、指標がドットにより表示されるため、他の照準器よりも指標を照準点にあわせる作業に精度が要求される照準器である。本発明によれば、照準器の回転が防止され、指標を照準点に精度良く合わせることができるようになるから、本発明は、ドットサイト１０に特に好ましく適用することができる。
【００４４】
なお、上記した本発明の実施の形態においては、８９式５．５６ｍｍ小銃用照準装置１を８９式５．５６ｍｍ小銃２に形成された基本ベース３に固定したが、本発明に係る小火器用照準装置は、たとえば、この基本ベース３に取り付けられたピカテニーベースに固定することもできる。本発明において、「小火器に設けられたベース」には、上記のような小火器に形成された基本ベースのみならず、この基本ベースに取り付けられた基本ベース以外のベースも含まれる。
【００４５】
なお、上記した本発明の実施の形態においては、マウント部２０の保持部が、マウント部２０の本体部２１とともに一体形成された場合について説明したが、本発明における「本体部に設けられ」には、マウント部２０の保持部が、これとは別体として構成されたマウント部２０の本体部２１に取り付けられる形態も含まれる。ただし、上記した本発明の実施の形態のように、マウント部２０の保持部をマウント部２０の本体部２１とともに一体形成すると、マウント部２０の保持部がマウント部２０の本体部２１に対して移動・回転するということがないため、照準点と着弾点とのずれが好ましく防止される。したがって、本発明の適用にあたっては、上記した本発明の実施の形態のように、マウント部２０の保持部をマウント部２０の本体部２１とともに一体形成することが特に好ましい。
【００４６】
以上、本発明の実施の形態に係る８９式５．５６ｍｍ小銃用照準装置１について説明したが、上記の説明は、すべて実施の形態についての説明であるから、本発明は、上記の説明によって何ら限定されるものではない。
【産業上の利用可能性】
【００４７】
本発明は、小火器に利用することができるが、特に、８９式５．５６ｍｍ小銃に対して好ましく利用することができる。
【図面の簡単な説明】
【００４８】
【図１】本発明の実施の形態に係る８９式５．５６ｍｍ小銃用照準装置の概略構成を示す図である。
【図２】本発明の実施の形態に係る８９式５．５６ｍｍ小銃用照準装置の概略分解斜視図である。
【図３】当接部を説明するための図である。
【図４】本発明の実施の形態に係る８９式５．５６ｍｍ小銃用照準装置が備える他の構成を示す図である。
【図５】本発明の実施の形態に係る８９式５．５６ｍｍ小銃用照準装置が備える他の構成をより詳細に示す図である。
【図６】薬莢収納袋を薬莢収納袋取付部に取り付ける方法を示す図である。
【図７】バトラをバトラ取付部に取り付ける方法を示す図である。
【符号の説明】
【００４９】
１    ８９式５．５６ｍｍ小銃用照準装置
２    ８９式５．５６ｍｍ小銃
３    基本ベース
１０    ドットサイト
１１    ドットサイト本体
１２    被保持部
１３ａ    接眼側キャップ
１３ｂ    対物側キャップ
１４    輝度調整ダイヤル
１５    第１ダイヤル
１６    第２ダイヤル
１７    平面部
１７ａ    当接部
２０    マウント部
２１    本体部
２１ａ    第１本体部
２１ｂ    第２本体部
２２ａ、２２ｂ    固定ビス
２３    支持部
２３ａ    台座部
２３ｂ    蓋部
２４ａ〜２４ｆ    保持ビス
２５ａ〜２５ｆ    保持ワッシャ
２６    平面部
２６ａ    当接部
２７    バトラ取付部
２８    バトラ支持部
２９ａ、２９ｂ    バトラ取付部用ビス
３０ａ、３０ｂ    バトラ取付用ビス孔
３１ａ、３１ｂ    バトラ取付部用ビス孔
３２    薬莢収納袋取付部
４    薬莢収納袋
３３ａ〜３３ｄ    薬莢収納袋取付部用ビス
３４ａ〜３４ｄ    薬莢収納袋取付部用ワッシャ
３５ａ〜３５ｄ    薬莢収納袋取付部用ビス孔
３６ａ〜３６ｄ    薬莢収納袋取付部用ビス孔
３７ａ、３７ｂ    ボス
３８    薬莢収納袋取付用ビス
４ａ、４ｄ    切欠
４ｂ、４ｃ    ボス孔
５    バトラ
５ａ、５ｂ    バトラ取付用ビス
【図１】
2008202901.tif 000003
【図２】
2008202901.tif 000004
【図３】
2008202901.tif 000005
【図４】
2008202901.tif 000006
【図５】
2008202901.tif 000007
【図６】
2008202901.tif 000008
【図７】
2008202901.tif 000009